(57)【要約】【課題】固定側のコネクタに対して可動側のコネクタを着脱する際に、可動側のコネクタの接続部内部に水分や塵埃が付着してしまうのを確実に防止することができるコネクタ接続構造を提供する。【解決手段】接続構造１００は、固定側コネクタ１０１又は可動側コネクタ１０２の一方に設けられた被係合部３０と、これら固定側コネクタ１０１又は可動側コネクタ１０２の他方に設けられて該被係合部３０に対して進退することで前記固定側コネクタ１０１と前記可動側コネクタ１０２との接続方向に前記被係合部３０と係脱可能な係合部３１と、前記可動側コネクタ１０２の固定側コネクタ１０１との接続面１Ａ・４Ａを開閉する閉塞部材３２と、を備え、前記閉塞部材３２は、前記接続面１Ａ・４Ａを閉塞させるのに応じて、前記係合部３１を被係合部３０に対して離間させることを特徴とする。【選択図】図２
2010086856.tif 000002
【特許請求の範囲】
【請求項１】
固定側コネクタ又は可動側コネクタの一方に設けられた被係合部と、
前記固定側コネクタ又は前記可動側コネクタの他方に設けられ、前記被係合部に対して進退することで、前記固定側コネクタと前記可動側コネクタとの接続方向に前記被係合部と係脱可能な係合部と、
前記可動側コネクタの前記固定側コネクタとの接続面を開閉する閉塞部材と、を備え、
前記閉塞部材は、前記接続面を閉塞させるのに応じて、前記係合部を前記被係合部に対して離間させることを特徴とするコネクタ接続構造。
【請求項２】
前記可動側コネクタ内に前記固定側コネクタを挿入することによって、前記可動側コネクタと前記固定側コネクタとが接続され、
前記被係合部は、前記内側に位置する固定側コネクタの端部位置にて、外側に突出するように設けられ、コネクタ接続時にて固定側コネクタと可動側コネクタの周面間に形成されたコネクタ間隙部内に配置され、
前記係合部は、前記可動側コネクタの内周面にて内側に向かって揺動自在に設けられるとともに、内側に向けて付勢する付勢部材を含み、該付勢部材の付勢によって内側に向かって突出して、該可動側コネクタ内に挿入された前記固定側コネクタの被係合部に係合し、
前記閉塞部材は、前記可動側コネクタとの接続面を覆うように、該可動側コネクタに脱着自在に取り付けられ、該可動側コネクタへの取り付け時に、前記係合部を付勢部材の付勢力に抗して外側に移動させることで、前記係合部の被係合部に対する係合を解除することを特徴とする請求項１記載のコネクタ接続構造。
【発明の詳細な説明】
【技術分野】
【０００１】
本発明は、給電側と受電側とを接続するコネクタに適用されて、接続面に雨水、埃などが浸入することを防止するコネクタ接続構造に関する。
【背景技術】
【０００２】
従来より、電力を給電する側と受電する側との間では、着脱可能な接続構造が適用されている。例えば、コンテナヤードにおいてコンテナの保管及び払い出しをするためのタイヤ式門型クレーン（ＲＴＧ）では、外部給電方式を採用した場合には、給電ケーブルによって外部の給電ボックスと接続して給電を行うものとし、給電ケーブルと給電ボックスとの間において互いのコネクタ同士は、着脱可能な接続構造を構成している。そして、給電ボックスからの給電ケーブルを介して供給される電力により、走行手段の駆動モータ、吊下手段の巻上機、制御機器等を作動させている。
【０００３】
ここで、上記のような可動側となるタイヤ式門型クレーンに接続された給電ケーブルでは、コンテナヤード内に固定された固定側となる給電ボックスのコネクタに抜き差しされる脱着部の形状が図７のようになっている。
この図７において、符号５０は可動側となるタイヤ式門型クレーン（図示せず）に接続される給電ケーブルであり、符号５１は該給電ケーブル５０の先端部に設けられたコネクタ（以下、可動側コネクタと言う）である。
該可動側コネクタ５１は、給電ボックスに至る固定側のコネクタ５２（以下、このコネクタを固定側コネクタと言う）に接続される接続面５３に、三相ＡＣピン５４〜５６及び安全ピン５７・５８を備えたものである。安全ピン５７・５８は、該コネクタ５１を固定側コネクタ５２から外した際に、三相ＡＣピン５４〜５６より先に外れるように、該三相ＡＣピン５４〜５６より短い寸法にその長さが設定されている。なお、給電ボックスに至る固定側のコネクタ５２には、三相ＡＣピン５４〜５６及び安全ピン５７・５８がそれぞれ挿入される雌型端子が設けられているが、図では省略されている。
【０００４】
一方、該コネクタ５１には、安全ピン５７・５８が三相ＡＣピン５４〜５６より先に外れて、該安全ピン５７・５８内を流れる電流の遮断を検出した場合に、三相ＡＣピン５４〜５６への電力供給をストップさせる安全装置（図示せず）が設けられている。そして、このような安全装置によって、可動側コネクタ５１が固定側コネクタ５２から取り外されて、該固定側コネクタから三相ＡＣピン５４〜５６が抜ける直前には、必ず電源が落ちて、作業者への安全が図られる仕組みになっている。
【０００５】
しかしながら、以上のように構成された可動側コネクタでは、港湾などの雨風にさらされる場所で使用した場合、三相ＡＣピン５４〜５６による接続部分に塵や水分が付着してしまうこととなる。このため、このような接続部分への防塵、防水対策のために、以下の特許文献１及び２に示される技術が提供されている。
特許文献１に示されるシャッター機構付コネクタは、一方のコネクタに、前面部に外力を受けると外側に開放されるシャッターを設け、他方のコネクタに、シャッター前面部を押圧する先端部を設け、これによって互いを接続しようとするときに、接続に応じてシャッターが外側に回動して開き、コネクタ内の端子を開放露出させて相手側端子との結合を可能にする。
一方、特許文献２に示されるシャッター付き光コネクタでは、レセプタクルに、接続時にプラグに押されて移動する可動部材と、この可動部材をプラグに向けて常時付勢した弾性部材と、可動部材の動きにシャッター板の開閉を連動させるカム機構を設けたものであって、コネクタの着脱の際に、着脱に応じて自動的にシャッターが開閉して光接触部を保護する。
【特許文献１】特開平８‐１８３７８５号公報
【特許文献２】特開２００４‐２４６０９６号公報
【発明の開示】
【発明が解決しようとする課題】
【０００６】
ところで、上記特許文献１及び２に示されるコネクタのいずれも、互いに接続しようとするに応じて次第に閉塞する部材が開いて接続され、また、互いに取り外そうとするに応じて次第に閉塞する部材が閉塞する構造であり、互いのコネクタの脱着の際に一時的に接続部分が開放されてしまい、依然塵や水分が浸入してしまうおそれがあった。
【０００７】
この発明は、上述した事情に鑑みてなされたものであって、固定側のコネクタに対して可動側のコネクタを着脱する際に、可動側のコネクタの接続部内部に水分や塵埃が付着してしまうのを確実に防止することができるコネクタ接続構造を提供する。
【課題を解決するための手段】
【０００８】
上記課題を解決するために、この発明は以下の手段を提案している。すなわち、本発明のコネクタ接続構造では、固定側コネクタ又は可動側コネクタの一方に設けられた被係合部と、前記固定側コネクタ又は前記可動側コネクタの他方に設けられ、前記被係合部に対して進退することで、前記固定側コネクタと前記可動側コネクタとの接続方向に前記被係合部と係脱可能な係合部と、前記可動側コネクタの前記固定側コネクタとの接続面を開閉する閉塞部材と、を備え、前記閉塞部材は、前記接続面を閉塞させるのに応じて、前記係合部を前記被係合部に対して離間させることを特徴とする。
【０００９】
この構成では、固定側コネクタと可動側コネクタのいずれか一方側に設けられた被係合部が、他方側のコネクタに設けられた係合部に係合されることで、これら２つのコネクタは、接続方向に離間して抜けてしまうことが防止されている。一方で、この状態で、可動側コネクタの固定側コネクタとの接続面を開閉する閉塞部材により、該接続面を閉塞すると、該接続面の閉塞に応じて、係合部を被係合部に対して離間させて、被係合部から係合部を外すことができ、これにより両コネクタを互いに分離させることが可能となる。また、この両コネクタを分離可能な状態では、可動側コネクタの接続面は閉塞部材で確実閉塞されているから、固定側コネクタに対して可動側コネクタを離脱させても、接続面に塵や水分が付着してしまうおそれがない。
【００１０】
また、本発明のコネクタ接続構造では、前記可動側コネクタ内に前記固定側コネクタを挿入することによってこれら両コネクタが接続され、また、前記被係合部は、前記内側に位置する固定側コネクタの端部位置にて、外側に突出するように設けられ、コネクタ接続時にて固定側コネクタと可動側コネクタの周面間に形成されたコネクタ間隙部内に配置され、また、前記係合部は、前記可動側コネクタの内周面にて揺動自在に設けられるとともに、内側に向けて付勢する付勢部材を含み、該付勢部材の付勢によって、該可動側コネクタ内に挿入された前記固定側コネクタの被係合部を係合し、また、前記閉塞部材は、前記可動側コネクタとの接続面を覆うように、該可動側コネクタに脱着自在に取り付けられ、該可動側コネクタへの取り付け時に、前記係合部を付勢部材の付勢力に抗して外側に移動させることで、前記係合部の被係合部に対する係合を解除することが好ましいとされる。
【００１１】
この構成では、可動側コネクタに閉塞部材が取り付けられていない場合、可動側コネクタの内周面にて揺動自在に設けられかつ内側に向けて付勢された突出した係合部が、被係合部を係合することで、該可動側コネクタが固定側コネクタから抜けること無く、該固定側コネクタに固定、保持されることになる。
一方、可動側コネクタに、該可動側コネクタの接続面を覆うように閉塞部材を取り付けた場合に、該閉塞部材によって、可動側コネクタ内の係合部を付勢力に抗して外側に移動させて、該係合部の被係合部に対する係合を解除することができる。これによって可動側コネクタの接続面が覆われた状態で、可動側コネクタを固定側コネクタから取り外すことができ、該コネクタの接続部内部に水分や塵埃が付着してしまうのを確実に防止することが可能となる。
【発明の効果】
【００１２】
本発明のコネクタ接続構造では、閉塞部材によって接続面を閉塞させるのに応じて係合部を被係合部に対して離間させる構成としたので、固定側のコネクタに対して可動側のコネクタを着脱する際に、可動側のコネクタの接続部内部に水分や塵埃が付着してしまうのを確実に防止することができる
【発明を実施するための最良の形態】
【００１３】
（第１実施形態）
本発明の第１実施形態について図１〜図４を参照して説明する。
図１は本発明に係わるコネクタであって、符号１０１は固定側コネクタ、符号１０２は固定側コネクタ１０１に接続される可動側コネクタからなり、全体として円筒形状に形成されている。
【００１４】
可動側コネクタ１０２は、コネクタ本体１と、該コネクタ本体１を覆う被覆部２とからなり、該被覆部２の先端は、前方に突出する筒状部３を形成している。
一方、固定側コネクタ１０１は、コネクタ本体４と、該コネクタ本体４を覆う被覆部５とからなる。そして、固定側コネクタ１０１が可動側コネクタ１０２の筒状部３内に挿入されることで、これら固定側コネクタ１０１と可動側コネクタ１０２とが互いに一体的に接続されるようになっている。
そして、これら可動側コネクタ１０２と固定側コネクタ１０１とが互いに接続された状態では、可動側コネクタ１０２のコネクタ本体１の端面、及び固定側コネクタ１０１のコネクタ本体４の端面が、接続面１Ａ及び４Ａとなって互いに突き合わされるようになっている。
なお、前記固定側コネクタ１０１は、例えば、前述したようにタイヤ式門型クレーンの電源コンテナ等に設置され、また、前記可動側コネクタ１０２は、タイヤ式門型クレーンの走行手段、吊下手段の給電部に至る給電ケーブルのコネクタとして使用される。
【００１５】
可動側コネクタ１０２は、コネクタ本体１の接続面１Ａに、軸方向（矢印Ａ−Ｂ方向）に沿う３本の三相ＡＣピン７（１本のみを記す）及び２本の安全ピン８・９が設けられたものである。３本の三相ＡＣピン７には、電力ケーブル１０〜１２が接続されており、該電力ケーブル１０〜１２の末端は、前述したようにタイヤ式門型クレーンの走行手段、吊下手段の給電部等に至る。
【００１６】
一方、固定側コネクタ１０１のコネクタ本体４には、可動側コネクタ１０２の三相ＡＣピン７がそれぞれ挿入される３つの雌端子１５（１本のみ記す）、及び可動側コネクタ１０２の安全ピン８・９がそれぞれ挿入されるソケット１６・１７が設けられている。３つの雌端子１５には、タイヤ式門型クレーンの電源コンテナに至る電力ケーブル１８〜２０が接続されている。
前記安全ピン８・９は、可動側コネクタ１０２を固定側コネクタ１０１から外した際に、三相ＡＣピン７より先に外れるように、該三相ＡＣピン７より短い寸法にその長さが設定されている。一方、電力ケーブル１８〜２０に電力を供給する電源コンテナを含む電力供給システム（図示せず）には、ソケット１６・１７を通じて安全ピン８・９に検出電流を供給し、該検出電流が遮断された場合に、電力ケーブル１８〜２０への電力供給を遮断する安全装置（図示せず）が設けられている。
そして、この安全装置では、可動側コネクタ１０２を固定側コネクタ１０１から外した際に、三相ＡＣピン７より短い寸法に形成された安全ピン８・９が、三相ＡＣピン７より先に外れることで、検出電流の流れが途切れたことを検出し、この検出によって、作業者の安全のために電力ケーブル１８〜２０への電力供給を直に遮断することが可能となる。
【００１７】
次に、固定側コネクタ１０１及び可動側コネクタ１０２に設けられたコネクタ接続構造１００について説明する。
この接続構造１００は、固定側コネクタ１０１に設けられた被係合部３０と、可動側コネクタ１０２に設けられて該被係合部３０が設けられた固定側コネクタ１０１に対して進退することで、前記固定側コネクタ１０１と可動側コネクタ１０２の接続方向（矢印Ａ−Ｂ方向）に対して前記被係合部３０と係脱可能な係合部３１と、前記可動側コネクタ１０２の接続面１Ａを開閉する閉塞部材３２と、を有するものである。そして、前記閉塞部材３２は、前記接続面１Ａを閉塞させるのに応じて、前記係合部３１を被係合部３０に対して離間させる。
【００１８】
これら被係合部３０、係合部３１、閉塞部材３２について詳細に説明する。
被係合部３０は、固定側コネクタ１０１と可動側コネクタ１０２とが互いに接続された状態で内側に位置する固定側コネクタ１０１の被覆部５の端部位置にて、外側に突出するように設けられ、固定側コネクタ１０１の被覆部５の外周面と、可動側コネクタ１０２の被覆部２の先端に位置する筒状部３の内周面に形成されたコネクタ間隙部３３内に配置される。
前記係合部３１は、可動側コネクタ１０２の筒状部３の内周面にて内側に位置する固定側コネクタ１０１に向かって揺動自在に設けられる。この係合部３１は、筒状部３の内周面に形成された凹部３Ａ内に配置されるものであって、前端が内側（図中矢印Ｃ側）に突出する突部３４Ａを有する係合部本体３４と、該係合部本体３４を支持するとともに該係合部本体３４を内側（図中矢印Ｃ側）に向けて付勢する付勢部材３５を含む構成とされている。そして、この係合部３１では、付勢部材３５の付勢によって、係合部本体３４の突部３４Ａが突出し、可動側コネクタ１０２内に挿入された前記固定側コネクタ１０１の外周面を押圧した状態となっている。このため、例えば、固定側コネクタ１０１に対して可動側コネクタ１０２を接続方向（矢印Ａ−Ｂ方向）に離間する方向に移動させても、係合部３１が被係合部３０に係合して、可動側コネクタ１０２が固定側コネクタ１０１から抜け出ることが防止されている。
【００１９】
前記閉塞部材３２は、可動側コネクタ１０２との接続面１Ａを覆うように、該可動側コネクタ１０２に脱着自在に取り付けられる。また、この閉塞部材３２は、全体として板状に形成されたものであって、可動側コネクタ１０２の筒状部３に形成された取付孔３６を通じて該可動側コネクタ１０２に対して脱着自在に取り付けられる。前記取付孔３６は、可動側コネクタ１０２の中心線を挟んで係合部３１と対向する位置に設けられるものである。そして、図２に示すように、可動側コネクタ１０２を固定側コネクタ１０１から外れる矢印Ａ方向に若干ずらし、これら可動側コネクタ１０２と固定側コネクタ１０１との間に間隙（図２に符号３７で示す）を形成した状態で、上述した閉塞部材３２が挿入される。そして、この閉塞部材３２では、取付孔３６に取り付けた場合に、可動側コネクタ１０２の接続面１Ａを閉鎖するとともに、付勢部材３５の付勢力に抗して、係合部３１の係合部本体３４を外側（図中矢印Ｄ側）に押圧して移動させることで、該係合部３１の被係合部３０に対する係合を解除することが可能となっている（図２〜図４により後述する）。
【００２０】
次に、上記のように構成されたコネクタ接続構造１００の作用について説明する。
図１に示すように、まず、可動側コネクタ１０２に閉塞部材３２が取り付けられていない場合には、可動側コネクタ１０２の内周面にて揺動自在に設けられかつ内側に向けて付勢された係合部本体３４の突部３４Ａが、固定側コネクタ１０１を内側（図中矢印Ｃ側）に押圧する。また、係合部本体３４の突部３４Ａが、被係合部３０に係合することで、該可動側コネクタ１０２が固定側コネクタ１０１から抜けること無く、該可動側コネクタ１０２が固定側コネクタ１０１に固定、保持されることになる。
【００２１】
次に、固定側コネクタ１０１から可動側コネクタ１０２を取り外す場合には、図２に示すように、まず、可動側コネクタ１０２を若干、矢印Ａ方向に移動させることによって、該可動側コネクタ１０２と固定側コネクタ１０１との間に間隙（符号３７で示す）を形成する
この状態で、図３に示すように、可動側コネクタ１０２の取付孔３６に閉塞部材３２を挿入する。これによって、取付孔３６に挿入された閉塞部材３２は、可動側コネクタ１０２の接続面１Ａを閉塞するとともに、可動側コネクタ１０２の内周面に位置する係合部３１の係合部本体３４を付勢部材３５の付勢力に抗して外側（図中矢印Ｄ側）に押圧して移動させ、係合部本体３４の突部３４Ａによる被係合部３０に対する係合を解除する。その後、図４に示すように、被係合部３０への係合が解除された可動側コネクタ１０２は、矢印Ａ方向に引き抜くことで、該可動側コネクタ１０２が固定側コネクタ１０１から離脱される。
【００２２】
以上詳細に説明したように本実施形態に示されるコネクタ接続構造１００では、固定側コネクタ１０１に設けられた被係合部３０が、他方側である可動側コネクタ１０２に設けられた係合部３１に係合されることで、これら２つのコネクタ１０１・１０２が互いに接続された状態から離脱してしまうことが防止される。そして、この状態で、可動側コネクタ１０２の接続面１Ａを開閉する閉塞部材３２により、該接続面１Ａを閉塞した場合に、該接続面１Ａの閉塞に応じて、係合部３１を被係合部３０に対して離間させて、被係合部３０から係合部３１を外すことができ、これによりこれら両コネクタ１０１・１０２を互いに分離させることができる。すなわち、上記コネクタ接続構造１００では、閉塞部材３２となるシャッターが閉まった場合にのみ、係合部３１を被係合部３０に対して離間させて、両コネクタの離脱を行うことができる。このため、これらコネクタの接続部内部に水分や塵埃が付着してしまうのを確実に防止することが可能となる。
【００２３】
本実施形態に示されるコネクタ接続構造では、固定側コネクタ１０１及び可動側コネクタ１０２のいずれかに、電力が供給される三相ＡＣピン７と、該三相ＡＣピン７の長さよりも短く設定された安全ピン８・９とを設け、さらに、三相ＡＣピン７に電力を供給する電気系統に、安全ピン８・９に検出電流を供給するとともに、該検出電流が途切れた場合に、三相ＡＣピン７への電力供給を遮断する安全装置を設けるようにしたので、可動側コネクタを固定側コネクタから外した際に、三相ＡＣピン７より短い寸法に形成された安全ピン８・９が、三相ＡＣピン７より先に外れることで、検出電流の流れが途切れたことを検出し、この検出によって、作業者の安全のために三相ＡＣピン７への電力供給を直に遮断することが可能となる。
【００２４】
なお、上記実施形態では、固定側コネクタ１０１に被係合部３０を設け、かつ可動側コネクタ１０２に係合部３１を設けるようにしたが、これに限定されず、固定側コネクタ１０１に係合部３１を設け、かつ可動側コネクタ１０２に被係合部３０を設けるようにしても良い。すなわち、接続面１Ａ・４Ａを挟んで１８０°反転させる構成とすることで、可動側コネクタ１０２に被係合部３０を配置し、固定側コネクタ１０１に係合部３１を配置しても良い。
【００２５】
（第２実施形態）
本発明の第２実施形態について図５及び図６を参照して説明する。
第２実施形態に示されるコネクタが第１実施形態と構成を異にするのは、板状の閉塞部材３２に代えて、円筒状に形成された保護部材４０が設けられている点である。以下の説明において第１実施形態と構成を共通とする構成に同一符号を付して重複した説明を省略する。
この保護部材４０は、可動側コネクタ１０２の筒状の被覆部２内に、接続方向（矢印Ａ−Ｂ方向）に沿うように移動自在に挿入されたものであって、その内部には、３本の三相ＡＣピン７（１本のみを記す）及び２本の安全ピン８・９が挿通される貫通孔４１〜４３が、同じく軸方向に沿うように形成されている。また、この保護部材４０の矢印Ａ−Ｂ方向に沿う長さ寸法は、三相ＡＣピン７及び２本の安全ピン８・９の長さ寸法より小さく形成されており、該保護部材４０が接続方向後方（矢印Ｂ方向）側に移動した場合に、これら三相ＡＣピン７及び２本の安全ピン８・９の先端が若干、該保護部材４０の前面４０Ａから突出するように寸法設定がなされている。
また、この保護部材４０の矢印Ｂ側に位置する後面４０Ｂと、コネクタ本体１の前面１Ｂとの間には、圧縮ばねからなる付勢部材４４が設けられている。付勢部材４４は、前記保護部材４０を接続方向前方（矢印Ａ方向）に付勢するものであって、該付勢部材４４が伸びきった位置にて、該保護部材４０が貫通孔４１〜４３内に三相ＡＣピン７及び２本の安全ピン８・９が収まるように予め設定がなされている（図６参照）。そして、このように保護部材４０内に三相ＡＣピン７及び２本の安全ピン８・９を収納することによって、これらピン７〜９を雨水、埃などから保護するようにしている。なお、保護部材４０の貫通孔４１〜４３のそれぞれの接続方向前方（矢印Ａ方向）側の開口には、該開口を閉塞する閉塞部材４１ａ〜４３ａが設けられている。閉塞部材４１ａ〜４３ａは、弾性材で形成されているとともに、図示しないが切込みが形成されており、三相ＡＣピン７及び安全ピン８・９が当接することで、変形し、これらが保護部材４０から突出することを可能としている。
【００２６】
また、可動側コネクタ１０２が固定側コネクタ１０１に連結された場合、前記保護部材４０は、該固定側コネクタ１０１内のコネクタ本体４の接続面４Ａに押圧されて、付勢部材４４の付勢力に抗して接続方向後方（矢印Ｂ方向）側に移動する（図５参照）。このとき、前記保護部材４０は三相ＡＣピン７及び安全ピン８・９に対して相対移動することで、これら三相ＡＣピン７及び安全ピン８・９の前端部が、固定側コネクタ１０１内の雌端子１５及びソケット１６・１７に挿入されることになる。そして、これら雌端子１５及びソケット１６・１７に、可動側コネクタ１０２の三相ＡＣピン７及び２本の安全ピン８・９が挿入される時点で、コネクタ本体４の接続面４Ａにより保護部材４０がさらに接続方向後方に押されることで、該保護部材４０は、固定側コネクタ１０１と可動側コネクタ１０２との間に収納されることになる（図５参照）。
【００２７】
次に、本実施形態の作用について説明する。
まず、図５に示すように、可動側コネクタ１０２が固定側コネクタ１０１に連結されて、可動側コネクタ１０２の三相ＡＣピン７及び２本の安全ピン８・９が、固定側コネクタ１０１内の雌端子１５及びソケット１６・１７に結合された状態では、保護部材４０は、固定側コネクタ１０１内のコネクタ本体４の接続面４Ａに押圧されることで、付勢部材４４の付勢力に抗して接続方向後方（図中矢印Ｂ側）に移動している。
次に、図６に示すように、可動側コネクタ１０２を矢印Ａ方向に移動させて、固定側コネクタ１０１から外した場合には、可動側コネクタ１０２内の保護部材４０が、付勢部材４４の付勢力により前方（図中矢印Ａ側）に移動させられる。そして、このような保護部材４０の移動によって、保護部材４０が貫通孔４１〜４３内に三相ＡＣピン７及び２本の安全ピン８・９が収納されることになり、これら三相ＡＣピン７及び２本の安全ピン８・９を雨水、埃などから保護することが可能となる。
【００２８】
以上詳細に説明したように本実施形態に示されるコネクタ接続構造では、可動側コネクタ１０２を固定側コネクタ１０１から外した場合に、付勢部材４４により付勢された保護部材４０によって、三相ＡＣピン７及び２本の安全ピン８・９を該保護部材４０の貫通孔４１〜４３内に収納することができる。このような保護部材４０の保護によって、これら三相ＡＣピン７及び２本の安全ピン８・９を雨水、埃などから保護することが可能となる。
【００２９】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３０】
【図１】本発明の第１実施形態に係わるコネクタ接続構造の側断面図である。
【図２】図１のコネクタを離脱させる途中の工程を示す側断面図である。
【図３】図１及び図２のコネクタに閉塞部材を設置した状態を示す側断面図である。
【図４】図１〜図３のコネクタを完全に離脱させた状態を示す側断面図である。
【図５】本発明の第２実施形態に係わるコネクタ接続構造の側断面図である。
【図６】図５のコネクタを完全に離脱させた状態を示す側断面図である。
【図７】従来の可動側コネクタ及び固定側コネクタを示す斜視図である。
【符号の説明】
【００３１】
７  三相ＡＣピン（電気ピン）
８  安全ピン
９  安全ピン
３０  被係合部
３１  係合部
３２  閉塞部材
３３  コネクタ間隙部
３４  係合部本体
３５  付勢部材
１００  接続構造
１０１  固定側コネクタ
１０２  可動側コネクタ
【図１】
2010086856.tif 000003
【図２】
2010086856.tif 000004
【図３】
2010086856.tif 000005
【図４】
2010086856.tif 000006
【図５】
2010086856.tif 000007
【図６】
2010086856.tif 000008
【図７】
2010086856.tif 000009